(57)【要約】【課題】  立坑の直径に対し管長の大きい継足し管のセットを可能とし、管の埋設作業を効率よく行えることを課題とする。【解決手段】  地中に埋設すべき管の後端を押圧して地中に埋入する管埋設用推進機１において、推進シリンダ７の支持装置１１ａ，１１ａ，１１ｂ，１１ｂをガイドフレーム３内に１乃至複数個装備し、該支持装置１１ａ，１１ａ，１１ｂ，１１ｂを駆動部４の移動位置に伴い起伏する構造とすることを特徴とする。【選択図】  図１
2005068969.tif 000002
【特許請求の範囲】
【請求項１】
地中に埋設すべき管の後端を押圧して地中に埋入する管埋設用推進機において、推進シリンダの支持装置をガイドフレーム内に１乃至複数個装備し、該支持装置を駆動部の移動位置に伴い起伏する構造とすることを特徴とする
【発明の詳細な説明】
【技術分野】
【０００１】  本発明は、管を地中に埋入埋設する管埋設用推進機において小型の立坑でありながら埋設すべき管の管長を長くとることができることを可能とする推進機に関する。
【技術背景】
【０００２】  従来から地中に上下水道管や電線管などの比較的小口径の管を水平方向に埋設する手段として、地表から縦方向に掘削した立坑内に管埋設用推進機を設置し、この推進機により地盤を掘削しながら後方から管を押圧することにより地中の水平方向に逐次管を埋設していく工法が採用されている。
【０００３】  上記推進機１は、図３に略示するように、地表から開削された立坑２内のガイドフレーム３上に駆動部４が進退移動自在に設置され、この駆動部によりオーガスクリュー５を回転駆動してその先端のオーガヘッド６により地盤を掘削すると共に推進シリンダ７により刃口８及び先導管に続いて埋設すべき管１０を順次継足しながら押入することにより地中に管１０，１０・・・を埋設するようになっている。
【０００４】  この推進機１に使用されている推進シリンダ７には先端に支持装置９が設けられ、ガイドフレーム３後端と駆動部４の３点にて推進シリンダ７の荷重を受け持っており、支持装置９は構造上駆動部４よりも前に装備する必要があった。（例えば下記特許文献１の図のシリンダ筒先端支持装置参照）
【特許文献１】特開２００２−１２９８７８
【発明の開示】
【発明が解決しようとする課題】
【０００５】  しかして、近年においては住宅地付近のような狭隘な現場での施工を行う場合が増えてきているため、作業現場、特に推進機を設置する立坑を掘削するスペースが制限され、大径の立坑を掘削することが困難になっている。【０００６】  従来のこの推進シリンダ７先端の支持装置９部が立坑内での推進機作動寸法上、死に寸法となり、より小径の立坑へ推進機を設置できない要因になっている。尚、この推進シリンダ先端の支持装置を省くと、推進機が後端へ移動した時の推進シリンダの荷重は該推進シリンダの先端に作業者が乗って作業することもあり、梃子の原理で増幅され駆動部内の支持点へ大きく作用することとなり、その結果駆動部内の支持点部の大型化を招き、適用する立坑径の増大が避けられなくなる。【０００７】  このような事情から小径の立坑しか掘削できない場合、継足し埋設管の管長が推進シリンダ先端の支持装置の長さ分制約されることになって、施行時における管の継足し作業が多くなり、埋設管長も短いことから作業効率も悪く、コストが嵩むものとなっていた。【０００８】  本発明は上記の点に鑑み、立坑の直径に対し管長の大きい継足し管のセットを可能とし、管の埋設作業を効率よく行えることを課題としてなされたものである。
【課題を解決しようとする手段】
【０００９】  上記課題を解決する手段として、地中に埋設すべき管の後端を押圧して地中に埋入する管埋設用推進機において、推進シリンダの支持装置をガイドフレーム内に１乃至複数個装備し、該支持装置を起伏する構造とすることを特徴とする。
【発明の効果】
【００１０】  駆動部が後端へ移動している際には、この推進シリンダ支持装置が起き上がって推進シリンダの前方を支持し、駆動部が前方へ移動する際には、支持装置に駆動部が干渉する前に支持装置が折畳まれ駆動部の移動を妨げず、駆動部を推進シリンダ前方まで進ませることができ、推進シリンダの荷重が梃子の原理で増幅され駆動部内の支持点集中作用することから開放されるので、推進シリンダ先端の支持装置が不要になり、そのことによって立坑内作動時の死に寸法がなくなり駆動部内の支持点部の大型化も避けられより小径の立坑へ推進機の設置が可能となる。
【発明を実施するための最良の形態】
【００１１】  以下、本発明を図面に示す実施の形態を参照して説明する。【００１２】  図１は本発明による管埋設用推進機の一実施形態を略示する正面、側面及び平面図であり、図２は推進シリンダの動きに連動する推進シリンダ支持装置の動きを略示する側面図である。尚、共通する部分の符号は同符号とした。【００１３】  この管埋設用推進機１は、所定の場所に縦方向に開削された縦穴内に立坑枠を建て込んだ立坑内の底部に設置されるもので、ガイドフレーム３上に設置され、このガイドフレーム上を駆動部４が進退移動自在に載装されると共に、駆動部４の左右に該駆動部４を進退させる推進機としての推進シリンダ７が配設されている。【００１４】  上記推進シリンダ７は公知の２段式シリンダが用いられており、油圧系の切替により第１シリンダが、次いで第２シリンダが二段階に伸長作動するようになっている。そして、ガイドフレーム３内には上記シリンダ７を起伏により適宜支持する支持装置１１ａ，１１ａ，１１ｂ，１１ｂが左右両側に各２個装備されている。そして、これらの支持装置１１ａ，１１ａ，１１ｂ，１１ｂは駆動部が所定の位置に移動してきたとき所定の起伏を行う構成になっている。尚、これらの支持装置１１ａ，１１ａ，１１ｂ，１１ｂの起伏機構については、駆動部４の移動位置をセンサにて感知させ油圧、空気圧、等により起伏を行わせる方法や駆動部４が移動する力で起伏を行わせる方法等々種々の方法があるがどの方法でもよい。【００１５】  次に上記実施形態の作用を、図２を参照して説明する。【００１６】  先ず、推進機１を立坑内に設置した状態のとき駆動部４は最後尾に後退した状態にあり、推進シリンダ７は一段目支持装置１１ａ，１１ａにてその前方部を支持されている。この状態で先導管（図示せず）が駆動部４に取付けられる。【００１７】  次に、第１シリンダに油圧を送り、駆動部４を前進させ先導管を地中に埋入させるが、駆動部４が一段目支持装置１１ａ，１１ａに干渉する位置に来る手前でセンサ等の感知により、一段目支持装置１１ａ，１１ａが折畳まれ駆動部４がその上を通過すると共に二段目支持装置１１ｂ，１１ｂが起き上がり推進シリンダ７を支持する。（図２の（２−１）、（２−２）に示す。）【００１８】  その次に、駆動部４が第１シリンダでの前進終点に達した段階で、第１シリンダに対する油圧を止め、第２シリンダに油圧を送り、駆動部４を更に前進させ先導管を地中に埋入させるが、駆動部４が二段目支持装置１１ｂ，１１ｂに干渉する位置に来る手前でセンサ等の感知により、二段目支持装置１１ｂ，１１ｂが折畳まれ駆動部４がその上を通過し、通過した段階で二段目支持装置１１ｂ，１１ｂが起き上がり推進シリンダ７を支持する。（図２の（２−３）、（２−４）に示す。）【００１９】  そして、駆動部４が第２シリンダでの前進終点に達した段階で、第２シリンダに対する油圧を止め、駆動部４を前進時の逆の動作を行い後退させ元の位置に戻して埋設すべき管を駆動部４にセットするとともに先導管後端に継足す。【００２０】  その後、先程の作業と同じく第１シリンダ及び第１シリンダにて駆動部４を前進させ、埋設すべき管を地中に埋入する。この作業を繰り返し、管埋設を完了させる。
【図面の簡単な説明】
【００２１】
【図１】本発明のよる管埋設用推進機の一実施形態を略示する正面、側面及び平面図。
【図２】本発明の推進シリンダの動きに連動する推進シリンダ支持装置の動きを略示する側面図。
【図３】従来の管埋設用推進機の略示説明図。
【符号の説明】
【００００】１  推進機
２  立坑
３  ガイドフレーム
４  駆動部
５  オーガスクリュー
６  オーガヘッド
７  推進シリンダ
８  刃口
９  支持装置
１０  管
１１ａ  一段目支持装置
１１ｂ  二段目支持装置
【図１】
2005068969.tif 000003
【図２】
2005068969.tif 000004
【図３】
2005068969.tif 000005